(57)【要約】【課題】  受信帯域の相互変調歪によるノイズを定期的に測定、保存し、携帯端末を通じて遠隔の監視システムでモニタするためのアンテナ異常検出装置を提供する。【解決手段】  送信及び受信を行うための送受信機１０１を備えた通信システム１００に設けられ、送受信機１０１の受信帯域の中の分割された複数の狭帯域の周波数成分をレベル分析できる機能を備えた分析手段３０と、分析手段３０より得られる周波数分析結果を定期的に集計処理するためのデータ処理部８と、データ処理部８からの集計処理データと送受信機１０１から出力される通信システム１００の回線利用率を示すキャリア数情報とを保存するための保存手段９と、保存手段９に保存された上記集計処理データと上記キャリア数情報とを遠隔地の監視装置に定期的に伝送するための携帯端末２０とを備えたアンテナ異常検出装置１である。【選択図】      図１
2005244570.tif 000002
【特許請求の範囲】
【請求項１】
送信及び受信を行うための送受信機を備えた通信システムに設けられ、上記送受信機の受信帯域の中の分割された複数の狭帯域の周波数成分をレベル分析できる機能を備えた分析手段と、該分析手段より得られる周波数分析結果を定期的に集計処理するためのデータ処理部と、該データ処理部からの集計処理データと上記送受信機から出力される上記通信システムの回線利用率を示すキャリア数情報とを保存するための保存手段と、該保存手段に保存された上記集計処理データと上記キャリア数情報とを遠隔地の監視装置に定期的に伝送するための携帯端末とを備えたことを特徴とするアンテナ異常検出装置。
【請求項２】
上記携帯端末の使用周波数が、上記送受信機の受信帯域に含まれない請求項１記載のアンテナ異常検出装置。
【請求項３】
上記分析手段が、受信帯域の中を分割し狭帯域の周波数成分に選別する周波数選別器と、該周波数選別器からの出力を増幅する電力増幅器と、該電力増幅器からのアナログ信号をデジタル信号に変換するＡ／Ｄ変換器とを備えた請求項１または２記載のアンテナ異常検出装置。
【発明の詳細な説明】
【技術分野】
【０００１】
本発明は、アンテナ異常検出装置に係り、特にアンテナ及び給電線系の相互変調歪が原因の異常検出に関するものである。
【背景技術】
【０００２】
近年、携帯端末の普及率は増加の一途を辿り、それに対応するための無線機の通信方式として従来３分割であった使用周波数帯域を６分割して利用するハーフレートの導入等があり、１基地局当たりの回線利用率が高まって来ている。
【０００３】
このような状況の中で、これまで余り問題の無かった給電線系統、アンテナ系統が原因となる相互変調歪による受信障害の発生が新たに注目され、この異常についての対策が急務となって来ている。
【０００４】
一般に、非線形デバイスに２波以上の異なる周波数ｆ１、ｆ２（ここでは、ｆ１＜ｆ２とする。）の信号が入力されると、相互変調生成波としてｆ２±ｆ１、ｆ２±２×ｆ１、・・・・といった周波数成分の信号が生成される。
【０００５】
そして、アンテナを送受信兼用で使用し、受信ダイバシティ、送信ダイバシティなどの通信方式を用いている場合に、アンテナ、給電線系統に非線形要因が在ると無線機送信部から送信される複数の異なる周波数成分から上記に示したような相互変調生成波が形成される。その生成波による相互変調歪に無線機の受信帯域に重なる周波数成分が含まれていれば、これらの周波数成分はノイズ信号となり、無線機において混変調を来たし、混信・異常切断の要因となる。
【０００６】
相互変調生成波の発生原因箇所が給電線、アンテナである場合には、その原因は主にコネクタ間等の機械的・電気的接触部分の不良である。このような機械的・電気的接続の不良は、電気信号取り分けて高周波信号に対して非線形要因となっており、結果として相互変調歪を生じさせる。
【０００７】
通常、これら非線形要因による不適合の恐れがある場合には、主としてフィールドでの調査が必要となる。
【０００８】
図２は、従来技術の通信システムの構成図を示す。
【０００９】
図示したように、通信システム１０２の送受信系統は概略して無線機側の系統とアンテナ側の系統により構成される。
【００１０】
無線機側の系統は、送受信処理部１１０と、高周波信号増幅のための電力増幅器２ａ〜２ｃと、不要信号を除去するためのフィルタ３ａ〜３ｃと、送信信号と受信信号を分離するためのデュプレクサ４と、異常信号モニタ用のスペクトラムアナライザ６０とを備えて構成されている。
【００１１】
アンテナ側の系統は、ダイバシティ受信のためのアンテナ１０ａ、１０ｃを備えて構成されている。
【００１２】
フィールド調査の方法は、図に示した構成及び接続状態で、周波数分析装置であるスペクトラムアナライザ６０をモニタしながら、ゴムハンマで接触不良が発生している恐れのある給電線、アンテナの接続部位を軽く叩く。その時の受信帯域内のノイズレベルをモニタし、相互変調歪によるノイズの増加が発生していないかを確認することである。
【００１３】
図３は、モニタして得られた正常状態時の受信信号及びノイズ成分を示す。図の横軸は周波数（単位：ＭＨｚ）を示し、縦軸は信号強度（単位：ｄＢｍ）を示す。
【００１４】
受信帯域（１４４３ＭＨｚ〜１４５３ＭＨｚ）内で受信信号が正常に受信されていることが分かる。図に示した例では、受信した信号の強度は１４５０ＭＨｚで約−７２ｄＢｍである。
【００１５】
なお、送信帯域（１４９１〜１５０１ＭＨｚ）内の約−３０〜−２０ｄＢｍの強い信号は、電力増幅器２ａからの送信信号がデュプレクサ４あるいはアンテナ１０ａ、１０ｃから回り込み、若しくは反射して戻ってきた送信信号を観測したものである。
【００１６】
図３の正常な状態に対して、接触異常が発生し、相互変調歪が生じた場合のノイズ成分を図４に示す。図の横軸は周波数（単位：ＭＨｚ）を示し、縦軸は信号強度（単位：ｄＢｍ）を示す。
【００１７】
相互変調歪による異常状態時には、受信帯域である１４４３〜１４５３ＭＨｚ近傍にノイズが重畳しておりその信号強度は−８０ｄＢｍを超える山なりのレベルであることが、図から見て取れる。この相互変調歪により受信帯域内で本来受信されるべき受信信号が１０ｄＢ以上のノイズ重畳により影響を受けており、受信障害が生じていることがモニタできる。
【００１８】
異常接続部位があると、図に示したようにノイズが重畳された部分が顕著に現れるので、受信帯域内のノイズレベルをモニタすることによって、接続異常部位の有無を特定し、不具合発生場所を補修することができる。
【００１９】
なお、この出願の発明に関連する先行技術文献情報としては、次のものがある。
【００２０】
【特許文献１】特開２００２−１３５２１７号公報
【発明の開示】
【発明が解決しようとする課題】
【００２１】
しかしながら、フィールドでのこのような不適合による相互変調歪の発生度合いは、一定しておらず不安定である。これは、機械的・電気的接触異常の度合いや程度が不適合部位周辺の環境（温度、湿度、振動条件等）により絶えず変化しているためと考えられる。
【００２２】
従って、上記不適合の現象がフィールド調査のモニタ時に再現しない事があり得るし、長時間不適合の現象が発生しなかったりして、不適合再現までに長時間を要するという問題点がある。
【００２３】
更に、不適合部位の探求、特定のため、必要以上に既存設備をゴムハンマで叩くことで、設備の性能劣化を助長することにもなるという問題点もある。
【００２４】
また、元々上記不適合現象は、回線利用率が高まったことで相互変調歪による混変調等が顕著化したものである。
【００２５】
従ってゴムハンマ等で叩いて調査を行っている時に、偶々回線利用率が低いと相互変調歪が発生しないことになり、不適合が確認できないことも起こり得る。そのため、調査時に回線利用率が高くなっているのを確認するか、或いは該当セルの回線が繋がるように多数の子機を準備して強制的に回線利用率を高くするといった準備・補助作業も必要となる。
【００２６】
更に、受信障害が発生した際にその原因が上記に述べた相互変調歪以外の場合も多く、相互変調歪と特定できず原因不明のまま、設備の中で不適合可能性が高いと推定される部位の交換を行い個別に特性評価をして、そこで始めて原因が相互変調歪によるものと分かるケースもある。
【００２７】
これら不適合原因の切り分けを行うため、相互変調歪による受信帯域のノイズ発生率を定期的に測定、記録して、遠隔地に設けられた監視システムで長期にわたってモニタすることが必要であるという問題点がある。
【００２８】
このときモニタする周波数分析装置としてスペクトラムアナライザが用いられるが、一般的にこの装置は非常に高価であり、監視箇所が多い場合にはコスト面で適切でないという問題点がある。
【００２９】
また、モニタにより相互変調歪が原因であることを特定した上で、フィールドでの確認のための時期選定判断をすることが必要になるという問題点もある。
【００３０】
そこで、本発明の目的は、受信帯域の相互変調歪によるノイズを定期的に測定、保存し、携帯端末を通じて遠隔の監視システムでモニタするためのアンテナ異常検出装置を提供することにある。
【課題を解決するための手段】
【００３１】
本発明は上記目的を達成するために創案されたものであり、第１の発明は、送信及び受信を行うための送受信機を備えた通信システムに設けられ、上記送受信機の受信帯域の中の分割された複数の狭帯域の周波数成分をレベル分析できる機能を備えた分析手段と、該分析手段より得られる周波数分析結果を定期的に集計処理するためのデータ処理部と、該データ処理部からの集計処理データと上記送受信機から出力される上記通信システムの回線利用率を示すキャリア数情報とを保存するための保存手段と、該保存手段に保存された上記集計処理データと上記キャリア数情報とを遠隔地の監視装置に定期的に伝送するための携帯端末とを備えたアンテナ異常検出装置である。
【００３２】
第２の発明は、上記携帯端末の使用周波数が、上記送受信機の受信帯域に含まれないものである。
【００３３】
第３の発明は、上記分析手段が、受信帯域の中を分割し狭帯域の周波数成分に選別する周波数選別器と、該周波数選別器からの出力を増幅する電力増幅器と、該電力増幅器からのアナログ信号をデジタル信号に変換するＡ／Ｄ変換器とを備えたものである。
【発明の効果】
【００３４】
本発明によれば、アンテナ異常検出装置によって受信帯域の相互変調歪によるノイズを定期的に測定、保存し、携帯端末を通じて遠隔の監視装置でモニタできる優れた効果を発揮する。
【発明を実施するための最良の形態】
【００３５】
以下、本発明の好適実施の形態を添付図面にしたがって説明する。
【００３６】
図１は、本発明の好適実施の形態であるアンテナ異常検出装置を備えた通信システムの例を示す構成図である。
【００３７】
図示したように、通信システム１００の送受信系統は概略して無線機側の系統とアンテナ側の系統とにより構成される。
【００３８】
無線機側の系統は、送信及び受信を行うための送受信機（無線機）１０１と、受信帯域の異常を検出するためのアンテナ異常検出装置１とを備えて構成される。
【００３９】
アンテナ側の系統は、ダイバシティ受信のためのアンテナ１０ａ、１０ｃを備えて構成される。
【００４０】
送受信機（無線機）１０１は、送信／受信のための信号処理を行う送受信処理部１１と、電力増幅のための電力増幅部２ａ〜２ｃと、不要信号を除去するためのフィルタ３ａ〜３ｃと、送信信号と受信信号を分離するためのデュプレクサ４とを備えて構成される。
【００４１】
アンテナ異常検出装置１は、送受信機１０１の受信帯域の中の分割された複数の狭帯域の周波数成分をレベル分析できる機能を備えた分析手段３０と、分析手段３０でレベル分析して得られた周波数分析結果を集計処理するためのデータ処理部（以下、パーソナルコンピュータと称する）８と、パーソナルコンピュータ８で集計処理された集計処理データを保存するための保存手段であるデータファイル９と、送受信機１０１の送受信処理部１１から出力されるキャリア数情報を伝送するための信号線１８と、パーソナルコンピュータ８で集計処理したデータを定期的に遠隔の監視装置（システム）に伝送するための携帯端末（例えば、携帯電話）２０とを備えて構成される。
【００４２】
分析手段３０は、受信帯域の中を分割し狭帯域の周波数成分に選別するための周波数選別器５ａ〜５ｃと、周波数選別器５ａ〜５ｃで選別された周波数成分の出力を電力増幅するための電力増幅器６ａ〜６ｃと、電力増幅されたアナログ信号をサンプリングしデジタル信号に変換するためのＡ／Ｄ変換器７ａ〜７ｃとを備えて構成される。
【００４３】
アンテナ異常検出装置１の分析手段３０は、相互変調歪によるノイズ増加異常を検出するために設けられ、送受信機１０１の受信帯域の中の分割された複数の狭帯域の周波数成分をレベル分析できる機能を備えている。
【００４４】
パーソナルコンピュータ８は、分析手段３０でレベル分析して得られた周波数分析結果を定期的に集計処理する機能を備えている。すなわち、パーソナルコンピュータ８は、Ａ／Ｄ変換器７ａ〜７ｃで変換されたデジタル信号を集計処理し、また送受信処理部１１から定期的若しくは必要に応じて送出される通信システム１００の回線利用率を示すキャリア数情報を収集し、定期的に保存するためにデータファイル９に出力する。
【００４５】
パーソナルコンピュータ８は、必要に応じてデータファイル９に保存された周波数成分のレベル分析結果である集計処理データ及びキャリア数情報を取り出し、取り出した集計処理データ及びキャリア数情報を定期的に携帯端末２０に出力する。
【００４６】
データファイル９は、パーソナルコンピュータ８で集計処理した集計処理データを蓄積・保存し、送受信処理部１１から出力されパーソナルコンピュータ８に伝送されたキャリア数情報を保存するための保存手段である。データファイル９は、パーソナルコンピュータ８の要求に応じて、データファイル９に保存された集計処理データ及びキャリア数情報をパーソナルコンピュータ８に出力する機能を備えている。
【００４７】
携帯端末２０は、データファイル９に保存された集計処理データ及びキャリア数情報をパーソナルコンピュータ８を介して受けとり、遠隔地に設けられた図示しない監視システムに送信する。
【００４８】
ここで、周波数選別器５ａ〜５ｃで選定する周波数は、送受信機１０１と通信を行う当該エリアの携帯端末間で設定されている送受信周波数を選択するとよく、この選択により送受信機１０１と通信を行う当該エリアに存在する携帯端末との通信のいかんに関わらずアンテナ異常検出装置１による受信帯域のモニタが円滑に行なわれる。
【００４９】
送受信処理部１１は、受信端子１１ｂ、１１ｃと、送信端子１１ａと、キャリア数出力端子１１ｄとを備えており、外部（図示しない移動機、携帯電話等）との通信のための送信及びダイバシティ受信を行うことができる機能を有し、分析手段３０が周波数分析結果の取得時に送受信処理部１１からパーソナルコンピュータ８にキャリア数情報を出力することができる。
【００５０】
電力増幅器２ａは送受信処理部１１からの送信信号を、電力増幅部２ｂ、２ｃは外部からの受信信号をそれぞれ増幅し出力する機能を有する。フィルタ３ａは、送信信号に含まれる不要信号成分を除去し、フィルタ３ｂ、３ｃは、受信信号に含まれる不要信号成分を除去し、送受信機１０１の受信帯域幅を決定している。
【００５１】
デュプレクサ４は、送信側端子４ａ、受信側端子４ｂ、共通端子４ｃを有しており、通信システム１００における送信信号と受信信号の分離を行い、送受信処理部１１からの送信信号をアンテナ１０ａに、外部からの受信信号を送受信処理部１１にそれぞれ送出する機能を有する。
【００５２】
アンテナ１０ａは、移動機との送受信を行うためのダイバシティのための空中線であり、アンテナ１０ｃは、移動機からの信号を受信するダイバシティのための空中線である。アンテナ１０ａ、１０ｃは共にダイバシティ方式の受信を行うために複数設けられたものであり、通常その空中線の数は送受信処理部１１の受信端子１１ｂ、１１ｃの数と一致し、空中線の数（すなわち、受信端子の数）はダイバシティ受信の経路の数を示している。
【００５３】
周波数選別器５ａ〜５ｃは、電力増幅器２ｂから出力された信号を予め決められた周波数成分に選別するための機能を有し、選別された周波数成分（若しくは、周波数帯）を出力する。周波数選別器の一例としては、帯域濾波器（バンドバスフィルタ）が使用される。電力増幅器６ａ〜６ｃは、周波数選別器５ａ〜５ｃで選別された特定の周波数成分の信号を増幅するための機能を有し、電力増幅した信号を出力する。電力増幅器の一例としては、利得器が使用される。
【００５４】
Ａ／Ｄ変換器７ａ〜７ｃは、電力増幅された特定の周波数成分のアナログ信号をサンプリングしデジタル信号に変換する機能を有し、変換したデジタル信号をパーソナルコンピュータ８に出力する。
【００５５】
以上のような構成により成り立つ通信システム１００は、次に説明するように接続されている。
【００５６】
送受信処理部１１の送信端子１１ａは、送信系統の電力増幅器２ａの入力側に接続されており、電力増幅器２ａの出力側はフィルタ３ａの入力側に接続されている。フィルタ３ａの出力側は、デュプレクサ４の送信側端子４ａに接続されている。デュプレクサ４の共通端子ｃは、給電線を介して送受信のためのアンテナ１０ａに接続されている。
【００５７】
デュプレクサ４の受信側端子４ｂは、受信系統のフィルタ３ｂの入力側に接続されており、フィルタ３ｂの出力側は受信信号を増幅するための電力増幅器２ｂの入力側に接続されている。電力増幅器２ｂの出力側は、送受信処理部１１の受信端子１１ｂに接続されている。
【００５８】
また、電力増幅器２ｂの出力側には分岐して受信系統の周波数帯域のアナログ信号をモニタできる端子が設けられており、この端子はアンテナ異常検出装置１の周波数選別器５ａ〜５ｃの入力側にそれぞれ分岐・並列して接続されている。
【００５９】
周波数選別器５ａの出力側は、電力増幅器６ａの入力側に接続され、電力増幅器６ａの出力側はＡ／Ｄ変換器７ａの入力側に接続され、Ａ／Ｄ変換器７ａの出力側はパーソナルコンピュータ８に接続されている。
【００６０】
周波数選別器５ｂの出力側は、電力増幅器６ｂの入力側に接続され、電力増幅器６ａの出力側はＡ／Ｄ変換器７ｂの入力側に接続され、Ａ／Ｄ変換器７ｂの出力側はパーソナルコンピュータ８に接続されている。
【００６１】
周波数選別器５ｃの出力側は、電力増幅器６ｃの入力側に接続され、電力増幅器６ａの出力側はＡ／Ｄ変換器７ｃの入力側に接続され、Ａ／Ｄ変換器７ｃの出力側はパーソナルコンピュータ８に接続されている。
【００６２】
なお、簡単表記のため本実施の形態の説明においては、周波数選別器５ａ〜５ｃ、電力増幅器６ａ〜６ｃ、Ａ／Ｄ変換器７ａ〜７ｃは、選別する周波数成分（若しくは、周波数帯域）の数を３に限った例としているが、アンテナ異常検出装置１の必要に応じてその数を増減させ選別する周波数成分（若しくは、周波数帯域）を決めるとよい。
【００６３】
パーソナルコンピュータ８には、遠隔地に設けられた監視装置にデータを伝送
するための携帯端末２０及び集計したデータを保存するためのデータファイル９も接続されている。
【００６４】
もう一つのダイバシティ受信系統であるアンテナ１０ｃは、給電線路を介してフィルタ３ｃの入力側に接続されている。フィルタ３ｃの出力側は、電力増幅器２ｃの入力側に接続されている。電力増幅器２ｃの出力側は、送受信処理部１１の受信端子１１ｃに接続されている。
【００６５】
送受信処理部１１のキャリア数出力端子１１ｄは、信号線１８を介してパーソナルコンピュータ８に接続されている。
【００６６】
次に、アンテナ異常検出装置を有する通信システム及びの作用効果について説明する。
【００６７】
通信システム１００は、送受信処理部１１の送信端子１１ａから出力された複数の周波数を有する高周波信号を電力増幅器２ａに伝送する。電力増幅器２ａは、入力された高周波信号を電力増幅しフィルタ３ａに出力する。電力増幅器２ａから出力された高周波信号は、フィルタ３ａに入力され、不要信号の除去が行われ、デュプレクサ４の送信側端子４ａに入力される。
【００６８】
送信側端子４ａに入力された不要信号除去済みの高周波信号は、共通端子４ｃから出力される。デュプレクサ４の共通端子４ｃから出力された高周波信号は、給電線を介してアンテナ１０ａに伝送され、アンテナ１０ａから移動機に向けて送信される。
【００６９】
送受信処理部１１は、送信端子１１ａから送信を行う毎に、送信によるキャリア数をカウントする。カウントされたキャリア数は、送信された複数周波数の高周波信号のキャリアの数を示す情報であり、この通信システム１００の回線利用率を意味している。
【００７０】
回線利用率を示すキャリア数情報は、送受信処理部１１のキャリア数出力端子１１ｄから定期的に出力されるか又はパーソナルコンピュータ８の要求に応じて出力され、信号線１８を介してパーソナルコンピュータ８に送出され、パーソナルコンピュータ８で集計処理される。
【００７１】
アンテナ１０ａ、１０ｃは、ダイバシティ方式の受信を行うために設けられており、アンテナ１０ａ、１０ｃで受信された高周波信号の内で受信レベルの高い方の信号が送受信処理部１１で選択され、復調処理される。
【００７２】
アンテナ１０ａで受信された高周波信号は、デュプレクサ４の共通端子４ｃに入力される。共通端子４ｃに入力された高周波信号は、受信側端子４ｂに出力される。受信側端子４ｂから出力された高周波信号は、不要信号除去のためフィルタ３ｂに入力される。フィルタ３ｂで不要信号が除去された高周波信号は、電力増幅器２ｂに入力される。電力増幅器２ｂに入力された高周波信号は、電力増幅され出力される。電力増幅器２ｂで電力増幅された高周波信号は送受信処理部１１の受信端子１１ｂに入力され、必要な復調・信号処理等が行われる。
【００７３】
一方アンテナ１０ｃで受信された高周波信号は、不要信号除去のためフィルタ３ｃに入力される。フィルタ３ｃで不要信号が除去された高周波信号は、電力増幅器２ｃに入力される。電力増幅器２ｃに入力された高周波信号は、電力増幅され出力される。電力増幅器２ｃで電力増幅された高周波信号は送受信処理部１１の受信端子１１ｃに入力され、必要な復調・信号処理等が行われる。
【００７４】
電力増幅器２ｂから出力された高周波信号は、送受信処理部１１に入力される他、分岐されアンテナ異常検出装置１の周波数選別器５ａ〜５ｃに入力される。
【００７５】
周波数選別器５ａに入力された高周波信号から、予め設定された特定の周波数成分のみが選別され、電力増幅部６ａに出力される。周波数選別器５ａから出力された高周波信号は、電力増幅部６ａに入力され電力増幅される。電力増幅部６ａで電力増幅された高周波信号はＡ／Ｄ変換器７ａに入力され、アナログ信号である高周波信号は、サンプリングされデジタル信号にＡ／Ｄ変換される。Ａ／Ｄ変換器７ａで変換された結果であるデジタル信号は、パーソナルコンピュータ８に入力され、パーソナルコンピュータ８で集計処理される。
【００７６】
周波数選別器５ｂに入力された高周波信号から、予め設定された特定の周波数成分のみが選別され、電力増幅部６ｂに出力される。周波数選別器５ｂから出力された高周波信号は、電力増幅部６ｂに入力され電力増幅される。電力増幅部６ｂで電力増幅された高周波信号は、Ａ／Ｄ変換器７ｂに入力されアナログ信号である高周波信号は、デジタル信号に変換される。Ａ／Ｄ変換器７ｂで変換された結果であるデジタル信号は、パーソナルコンピュータ８に入力され、パーソナルコンピュータ８で集計処理される。
【００７７】
周波数選別器５ｃに入力された高周波信号から、予め設定された特定の周波数成分のみが選別され、電力増幅部６ｃに出力される。周波数選別器５ｃから出力された高周波信号は、電力増幅部６ｃに入力され電力増幅される。電力増幅部６ｃで電力増幅された高周波信号は、Ａ／Ｄ変換器７ｃに入力されアナログ信号である高周波信号は、デジタル信号に変換される。Ａ／Ｄ変換器７ｃで変換された結果であるデジタル信号は、パーソナルコンピュータ８に入力され、パーソナルコンピュータ８で集計処理される。
【００７８】
パーソナルコンピュータ８に入力されたＡ／Ｄ変換器７ａ〜７ｃからのデジタル信号及び送受信処理部１１から送出されたキャリア数情報は、パーソナルコンピュータ８で集計処理された後、データファイル９に送出され、データファイル９に保存される。
【００７９】
保存されたデータは、パーソナルコンピュータ８からの定期的な要求により、取り出され、携帯端末２０に送出される。携帯端末２０に送出されたデータは、携帯端末２０から遠隔地の監視システムに送出される。
【００８０】
以上のようなプロセスの中で、回線利用率が高く、アンテナ１０ａ或いはアンテナ１０ａに接続されている給電線、フィーダ系等に接触不良が発生した場合を想定する。
【００８１】
このとき、送受信処理部１１の送信端子１１ａからは、複数の周波数からなる高周波信号が出力されており、電力増幅器２ａ、フィルタ３ａ、デュプレクサ４を介して、アンテナ１０ａに送出される。アンテナ１０ａ周辺に接触不良やインピーダンス不整合がない正常な場合には、高周波信号の略全ての電力はアンテナ１０ａから送出される。
【００８２】
しかし、アンテナ１０ａ或いはアンテナ１０ａに接続されている給電線、フィーダ系等に接触不良等が発生した際には、この高周波信号の電力の一部は接触不良個所で反射若しくは漏洩する。仮に、ここでは図中に示す接続部Ｒにおいて接触不良が発生したとする。この接続部Ｒでの接触不良による高周波電力の反射や漏洩は、相互変調歪の原因となり、通信システム１００の受信系統に影響を与える。
【００８３】
接続部Ｒに生じた接触不良を要因とする相互変調歪は、その電力の一部が反射してアンテナ１０ａから送受信機１０１に戻る。この相互変調歪は、接続部Ｒ、デュプレクサ４、フィルタ３ｂ、電力増幅器２ｂを順に経由して、送受信処理部１１の受信端子１１ｂに入力される。
【００８４】
相互変調歪の内、送受信処理部１１の受信帯域と同じ周波数成分を有する歪信号は、デュプレクサ４をそのまま通過して、フィルタ３ｂでは除去分離されず、電力増幅器２ｂでそのまま電力増幅されノイズ信号として受信端子１１ｂに入力されることになる。
【００８５】
この増幅された相互変調歪が、送受信処理部１１の本来の受信帯域においてそのまま受信されるため、この変調歪が影響し受信帯域内での混変調、混信が生じ、顕著な場合には通信回線の異常切断を招く。
【００８６】
従来技術でも述べた通り、スペクトル分析して見ると相互変調歪が生じた場合には、図４に示すとおり受信帯域である１４４３〜１４５３ＭＨｚ近傍にノイズが重畳しておりその信号強度は−８０ｄＢｍを超える山なりのレベルであることが、図から見て取れる。すなわち、正常時に比べて受信帯域内で１０ｄＢ以上ノイズレベルが高い事が分かる。
【００８７】
このノイズレベルのモニタ（観測）は、アンテナ異常検出装置１により行われる。周波数選別器５ａ〜５ｃで選別された周波数成分毎に、そのノイズレベルが電力増幅器６ａ〜６ｃ、Ａ／Ｄ変換器７ａ〜７ｃを介してデジタル信号となり、周波数成分毎のデジタル変換されたノイズレベルがパーソナルコンピュータ８に入力され、集計処理される。
【００８８】
このように分析され集計処理される周波数は、送受信機（無線機）１０１の受信帯域に含まれる周波数であり、かつ送受信機（無線機）１０１と通信を行う当該エリアの他の携帯端末間で設定されている受信周波数を除いた周波数を使用するとよい。
【００８９】
集計処理されたデータを、周波数毎に整列したものが、図４に示す特性図の受信帯域部分（受信帯域：１４４３〜１４５３ＭＨｚ）である。
【００９０】
この相互変調歪により受信帯域内に本来あるべき受信信号がノイズ重畳により影響を受け、受信障害が生じていることがモニタできる。
【００９１】
パーソナルコンピュータ８は、デジタル変換されたデータを集計処理すると共に、必要に応じてキャリア数情報（回線利用率）をパーソナルコンピュータ８から送受信処理部１１に問い合わせする。送受信処理部１１は、キャリア数出力端子１１ｄから信号線１８を介してパーソナルコンピュータ８にそのキャリア数情報を定期的に又は適宜送出し、パーソナルコンピュータ８はキャリア数情報を取り込む。パーソナルコンピュータ８は、キャリア数情報とパーソナルコンピュータ８により処理された集計処理データとを定期的、自動的にデータファイル９に保存する。
【００９２】
定期的に収集したこれらのキャリア数情報、各周波数成分のレベル分析データは、携帯端末２０を利用して遠隔地に置かれた監視装置（システム）に伝送される。
【００９３】
監視システムでは、伝送されたキャリア数により分かる回線利用率に対して定期的に観測される各周波数成分のノイズレベルの変動や経時変化等を集計し、送受信機１０１の受信帯域のノイズレベルを確認することで、発生した通信異常の原因が、相互変調歪によるものか否か、また何時の時期に受信帯域内のノイズレベルが増加するのかを知ることができる。
【００９４】
このアンテナ異常検出装置１を用いることによりノイズレベルの増加が相互変調歪によることが特定され、フィールドでの不適合確認や補修の計画が立てられ、修理作業を円滑に進められることに寄与する。
【００９５】
以上説明したように、本発明の実施の形態によりアンテナ系で発生する相互変調歪による受信帯域のノイズ発生量を定期的に測定、記録し、携帯端末を利用して、遠隔地に設置された監視システムで長期にわたってモニタすることで、相互変調歪の経時変化、発生日時、要因等について特定が容易となり、その結果、不適合対策における的を射た補修作業が可能となる。
【００９６】
また、従来技術においてフィールド調査に長い時間を要したり、不適合部位の探求、特定のため、必要以上に既存設備をゴムハンマで叩くことで、設備の性能劣化を助長していた問題点も解消される。
【００９７】
また、相互変調歪を再現させるため調査時に回線利用率が高くなっているのを確認するか、或いは該当セルの回線が繋がるように多数の子機を準備して強制的に回線利用率を高くするといった準備・補助作業も大幅に軽減され、場合によっては全く必要なくなる。
【００９８】
更に、受信障害が発生した際にその原因が相互変調歪によるものか、それ以外の原因によるものであるかの切り分けや特定も、このアンテナ異常検出装置１から伝送された情報及びデータを遠隔地の監視装置でモニタし、分析することにより容易にできるようになる。
【００９９】
また、これらフィールド調査の折りにスペクトラムアナライザのような極高価な測定器を使用する必要が無くなり、アンテナ異常検出を低コストで実現できるという優れた効果を得られる。
【産業上の利用可能性】
【０１００】
本発明は、携帯端末の通信システムのみならず、送受信系を有する無線通信システムに広く適用でき、容易に相互変調歪等のモニタを行うことができる産業上の利用可能性を有する。
【図面の簡単な説明】
【０１０１】
【図１】本実施の形態であるアンテナ異常検出装置を含む通信システムの例を示す構成図である。
【図２】従来技術の通信システムの構成図を示す。
【図３】通信システムにおいてモニタして得られた正常状態時の受信信号及びノイズ成分を示す特性図である。
【図４】通信システムにおいてモニタして得られた相互変調歪の発生した状態のノイズ成分を示す特性図である。
【符号の説明】
【０１０２】
１  アンテナ異常検出装置
２ａ、２ｂ、２ｃ  電力増幅器
３ａ、３ｂ、３ｃ  フィルタ
４  デュプレクサ
４ａ  送信側端子
４ｂ  受信側端子
４ｃ  共通端子
５ａ、５ｂ、５ｃ  周波数選別機
６ａ、６ｂ、６ｃ  電力増幅器（利得器）
７ａ、７ｂ、７ｃ  Ａ／Ｄ変換器
８  パーソナルコンピュータ（データ処理部）
９  データファイル（保存手段）
１０ａ、１０ｃ  アンテナ
１１  送受信処理部
１１ａ  送信端子
１１ｂ、１１ｃ  受信端子
１１ｄ  キャリア数出力端子
１８  信号線
２０  携帯端末（携帯電話）
３０  分析手段
１００  通信システム
１０１  送受信機（無線機）
【図１】
2005244570.tif 000003
【図２】
2005244570.tif 000004
【図３】
2005244570.tif 000005
【図４】
2005244570.tif 000006